(57)【要約】      （修正有）【課題】電子付箋を使用する使用者に対して、電子付箋の誤った使用に関する情報を当該電子付箋の位置に基づいて示す文書処理装置及びプログラムを提供する。【解決手段】電子文書に対する処理が記述された電子付箋を生成する電子付箋生成手段と、前記電子付箋生成手段により生成された複数の電子付箋間に禁則が含まれる場合、前記電子付箋生成手段により生成された複数の電子付箋の電子文書に対する位置及び禁則が含まれる旨を表示する表示手段とを有する電子文書処理装置である。【選択図】図１
2011048451.tif 000002
【特許請求の範囲】
【請求項１】
電子文書に対する処理が記述された電子付箋を生成する電子付箋生成手段と、
前記電子付箋生成手段により生成された複数の電子付箋間に禁則が含まれる場合、前記電子付箋生成手段により生成された複数の電子付箋の電子文書に対する位置及び禁則が含まれる旨を表示する表示手段と
を有する電子文書処理装置。
【請求項２】
禁則が含まれる電子付箋が電子文書の同じ頁に生成されている場合、前記表示手段は、前記電子付箋生成手段により生成された複数の電子付箋の電子文書に対する位置及び禁則が含まれる旨を１つの画面に表示する
請求項１に記載の電子文書処理装置。
【請求項３】
禁則が含まれる電子付箋が、電子文書の異なる頁に生成され、禁則が含まれる電子付箋の数が、分割可能な最大画面数以下である場合、前記表示手段は、前記電子付箋生成手段により生成された複数の電子付箋の電子文書に対する位置及び禁則が含まれる旨を分割された画面に表示する
請求項１に記載の電子文書処理装置。
【請求項４】
禁則が含まれる電子付箋が、電子文書の異なる頁に生成され、禁則が含まれる電子付箋の数が、分割可能な最大画面数よりも大きい場合、前記表示手段は、前記電子付箋生成手段により生成された複数の電子付箋の電子文書に対する位置及び禁則が含まれる旨を、縮小された縮小画像として表示する
請求項１に記載の電子文書処理装置。
【請求項５】
前記表示手段は、禁則が含まれる電子付箋を表示する倍率と、禁則が含まれる電子付箋を表示する位置とを調整する
請求項２又は３に記載の電子文書処理装置。
【請求項６】
前記表示手段は、互いに禁則を含む電子付箋の組合せに応じて、電子付箋が表示される色を調整する
請求項１乃至５のいずれかに記載の電子文書処理装置。
【請求項７】
電子文書に対する処理が記述された電子付箋を生成するステップと、
生成された複数の電子付箋間に禁則が含まれる場合、生成された複数の電子付箋の電子文書に対する位置及び禁則が含まれる旨を表示するステップと
をコンピュータに実行させるプログラム。
【発明の詳細な説明】
【技術分野】
【０００１】
本発明は、文書処理装置及びプログラムに関する。
【背景技術】
【０００２】
特許文献１には、削除用、印刷用及び表示用の目的に応じたしおりを頁ごとに付加し、しおりが付加された頁に処理を行う画像ファイリング装置が記載されている。
特許文献２には、しおりが付加された文書が呼び出された場合、しおりに登録された動作内容を実行する文書管理システムが記載されている。
特許文献３には、禁則情報及び用語リストに基づいて、その時点において機能が利用できない理由を示すメッセージを生成し、使用者に通知する情報処理装置等が記載されている。
【先行技術文献】
【特許文献】
【０００３】
【特許文献１】特開平０５−３４２２７０号公報
【特許文献２】特開平０５−３４２２６９号公報
【特許文献３】特開２００８−２６９１６０号公報
【発明の概要】
【発明が解決しようとする課題】
【０００４】
本発明の目的は、電子付箋を使用する使用者に対して、電子付箋の誤った使用に関する情報を当該電子付箋の位置に基づいて示す文書処理装置及びプログラムを提供することである。
【課題を解決するための手段】
【０００５】
[文書処理装置]
請求項１に係る本発明は、電子文書に対する処理が記述された電子付箋を生成する電子付箋生成手段と、前記電子付箋生成手段により生成された複数の電子付箋間に禁則が含まれる場合、前記電子付箋生成手段により生成された複数の電子付箋の電子文書に対する位置及び禁則が含まれる旨を表示する表示手段とを有する電子文書処理装置である。
【０００６】
請求項２に係る本発明は、禁則が含まれる電子付箋が電子文書の同じ頁に生成されている場合、前記表示手段は、前記電子付箋生成手段により生成された複数の電子付箋の電子文書に対する位置及び禁則が含まれる旨を１つの画面に表示する請求項１に記載の電子文書処理装置である。
【０００７】
請求項３に係る本発明は、禁則が含まれる電子付箋が、電子文書の異なる頁に生成され、禁則が含まれる電子付箋の数が、分割可能な最大画面数以下である場合、前記表示手段は、前記電子付箋生成手段により生成された複数の電子付箋の電子文書に対する位置及び禁則が含まれる旨を分割された画面に表示する請求項１に記載の電子文書処理装置である。
【０００８】
請求項４に係る本発明は、禁則が含まれる電子付箋が、電子文書の異なる頁に生成され、禁則が含まれる電子付箋の数が、分割可能な最大画面数よりも大きい場合、前記表示手段は、前記電子付箋生成手段により生成された複数の電子付箋の電子文書に対する位置及び禁則が含まれる旨を、縮小された縮小画像として表示する請求項１に記載の電子文書処理装置である。
【０００９】
請求項５に係る本発明は、前記表示手段が、禁則が含まれる電子付箋を表示する倍率と、禁則が含まれる電子付箋を表示する位置とを調整する請求項２又は３に記載の電子文書処理装置である。
【００１０】
請求項６に係る本発明は、前記表示手段が、互いに禁則を含む電子付箋の組合せに応じて、電子付箋が表示される色を調整する請求項１乃至５のいずれかに記載の電子文書処理装置である。
【００１１】
[プログラム]
請求項７に係る本発明は、電子文書に対する処理が記述された電子付箋を生成するステップと、生成された複数の電子付箋間に禁則が含まれる場合、生成された複数の電子付箋の電子文書に対する位置及び禁則が含まれる旨を表示するステップとをコンピュータに実行させるプログラムである。
【発明の効果】
【００１２】
請求項１に係る本発明によれば、本構成を有しない場合に比較して、電子付箋を使用する使用者が、電子付箋の誤った使用に関する情報を当該電子付箋の位置に基づいて確認できる文書処理装置を提供することができる。
【００１３】
請求項２に係る本発明によれば、本構成を有しない場合に比較して、請求項１に係る本発明が奏する効果に加えて、禁則を含む電子付箋が電子文書の同じ頁に生成されている場合、電子付箋を使用する使用者が、電子付箋の誤った使用に関する情報を当該電子付箋の位置に基づいて一の画面で同時に確認できる文書処理装置を提供することができる。
【００１４】
請求項３に係る本発明によれば、本構成を有しない場合に比較して、請求項１に係る本発明が奏する効果に加えて、禁則を含む電子付箋が電子文書の異なる頁に生成され、この電子付箋の数が分割可能な最大画面数以下である場合、電子付箋を使用する使用者が、電子付箋の誤った使用に関する情報を当該電子付箋の位置に基づいて分割された画面で同時に確認できる文書処理装置を提供することができる。
【００１５】
請求項４に係る本発明によれば、本構成を有しない場合に比較して、請求項１に係る本発明が奏する効果に加えて、禁則を含む電子付箋が電子文書の異なる頁に生成され、この電子付箋の数が分割可能な最大画面数よりも大きい場合、電子付箋を使用する使用者が、電子付箋の誤った使用に関する情報を当該電子付箋の位置に基づいて縮小画像を用いて同時に確認できる文書処理装置を提供することができる。
【００１６】
請求項５に係る本発明によれば、請求項２又は３に係る本発明が奏する効果に加えて、禁則を含む電子付箋の表示倍率及び表示位置を調整し、同時に確認できる文書処理装置を提供することができる。
【００１７】
請求項６に係る本発明によれば、請求項１乃至５のいずれかに係る本発明が奏する効果に加えて、互いに禁則を含む電子付箋の組合せを明示することができる文書処理装置を提供することができる。
【００１８】
請求項７に係る本発明によれば、本構成を有しない場合に比較して、電子付箋を使用する使用者が、電子付箋の誤った使用に関する情報を当該電子付箋の位置に基づいて確認できるプログラムを提供することができる。
【図面の簡単な説明】
【００１９】
【図１】本発明の一実施形態である電子文書処理装置の機能構成を示す図である。
【図２】図１の禁則判定部の動作フロー（Ｓ１０）を示すフローチャートである。
【図３】図１の禁則情報記憶部に記憶される禁則情報の例である。
【図４】図１の表示制御部の動作フロー（Ｓ２０）を示すフローチャートである。
【図５】単一画面表示が選択され、電子付箋が調整された場合の画面例である。
【図６】単一画面表示が選択され、電子付箋が調整された場合の画面例である。
【図７】単一画面表示が選択され、電子付箋が調整された場合の画面例である。
【図８】単一画面表示が選択され、電子付箋が調整された場合の画面例である。
【図９Ａ】単一画面表示が選択され、電子付箋が調整された場合の画面例である。
【図９Ｂ】単一画面表示が選択され、電子付箋が調整された場合の画面例である。
【図９Ｃ】単一画面表示が選択され、電子付箋が調整された場合の画面例である。
【図１０】分割画面表示が選択され、電子付箋が調整された場合の画面例である。
【図１１】サムネイル表示が選択され、電子付箋が調整された場合の画面例である。
【発明を実施するための形態】
【００２０】
[背景]
まず、本発明の理解を助けるために、その背景を説明する。
一般的に、紙の文書に対して付箋を貼付するのと同様、コンピュータで取り扱われる文書（電子文書）に対して電子付箋を貼付することが知られている。さらに、電子付箋に対し、頁の印刷や削除などの処理を対応付けることが知られている。
以下において説明する本発明の実施の形態では、電子付箋に対応付けられた処理が互いに排他であり、同時に実行されない場合には、電子付箋を使用する使用者に対して、このことを当該電子付箋の位置に基づいて示す文書処理装置を説明する。
【００２１】
次に、本発明の実施の形態について図面を参照して詳細に説明する。なお、以下の説明は本発明を実施するのにあたっての一例に過ぎず、本発明が以下に説明される事項に限定されるわけではなく必要に応じて適宜変更可能である。
以下、電子付箋とは、電子文書内の位置が特定され、電子文書への処理が対応付けられた付加情報を意味する。なお、縁や枠はなくてもよく、文字列のみからなる追記であってもよい。
【００２２】
[電子文書処理装置]
図１は、本発明の一実施形態である電子文書処理装置１の機能構成を示す図である。
図１に示すように、電子文書処理装置１は、ユーザインターフェース（以下、「ＵＩ１０（Ｕｓｅｒ  Ｉｎｔｅｒｆａｃｅ）」）１０、ＯＳ１２（Ｏｐｅｒａｔｉｎｇ  Ｓｙｓｔｅｍ）１２及びアプリケーション１４を有する。
さらに、アプリケーション１４は、電子文書作成部１４０、電子付箋貼付部１４２、禁則判定部１４４、禁則定義記憶部１４６、禁則情報記憶部１６及び表示制御部１４８を備える。
電子文書処理装置１は、さらに、電子文書を記憶するメモリ及びＨＤＤ（Ｈａｒｄ  Ｄｉｓｋ  Ｄｒｉｖｅ）などの記憶装置やＣＰＵ（いずれも不図示）などを有し、一般的なコンピュータの機能を備えているものとする。
電子文書処理装置１のＯＳ１２及びアプリケーション１４は、このような記憶装置やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びフロッピーディスク（登録商標）などの外部記憶装置に記憶され、ＣＰＵによって呼び出されて実行される。
【００２３】
[ＵＩ１０]
ＵＩ１０は、キーボード、マウス及び電子ペンなどの入力装置と、ディスプレイ及びプリンタなどの出力装置とを備える。入力装置を介して、使用者からの指示（例えば、電子文書を作成する、電子文書の頁において位置を特定して電子付箋を貼付する、及び、電子付箋と処理とを対応付ける）などが入力され、出力装置を介して、使用者によって作成された電子文書などが出力される。
[ＯＳ１２]
ＯＳ１２は、ＵＩ１０、アプリケーション１４及び不図示の各部を制御する基本プログラムである。
【００２４】
[アプリケーション１４]
電子文書作成部１４０は、ＵＩ１０によって受け付けられた使用者からの指示に基づいて、１枚以上の頁からなる電子文書を作成する。
電子付箋貼付部１４２は、ＵＩ１０によって受け付けられた使用者からの指示に基づいて、電子文書作成部１４０によって作成された電子文書に対し、電子付箋を貼付する。
【００２５】
禁則判定部１４４は、禁則定義記憶部１４６を参照し、電子付箋貼付部１４２によって貼付された電子付箋に対応付けられた処理が、互いに排他であり、同時に実行されないかどうか（つまり、処理が互いに禁則を含むかどうか）を判定する。禁則判定部１４４は、処理が互いに禁則を含む場合には、この禁則に関する情報（禁則情報）を禁則情報記憶部１６に記憶する。
なお、禁則定義記憶部１４６は、電子文書処理装置１の機種及び仕様などに基づいた禁則の定義（禁則定義）が記述されたファイルを予め記憶する。これらのファイルは、電子文書処理装置１で生成されてもよいし、外部のサーバなどからダウンロードされてもよい。
【００２６】
また、禁則定義記憶部１４６に予め記憶されるファイルは、ＸＭＬ（ｅＸｔｅｎｓｉｂｌｅ  Ｍａｒｋｕｐ  Ｌａｎｇｕａｇｅ）などを用いて記述される。
具体的には、電子文書処理装置１の機能が親要素として記述され、さらに、親要素それぞれに関する制限が子要素として記述される。なお、親要素及び子要素は、それぞれを識別するための識別子とともに記述される。
例えば、「頁をプリンタに出力する」という機能が親要素として記述された場合には、「プリンタに出力する頁を削除することはできない」という制限を子要素として記述する。この記述に基づいて、ある電子付箋に対応付けられた処理が「５頁目をプリンタに出力する」であり、別の電子付箋に対応付けられた処理が「５頁目を削除する」である場合、これらの処理は互いに禁則を含むと判定される。
【００２７】
表示制御部１４８は、処理が互いに禁則を含む電子付箋の組合せが、どのようにディスプレイに表示されるかを制御する。具体的には、表示制御部１４８は、単一画面表示、分割画面表示及びサムネイル表示のいずれかを選択するとともに、電子付箋の表示倍率、表示位置及び表示色などを調整する。
【００２８】
[禁則判定処理]
図２は、図１の禁則判定部１４４の動作フロー（Ｓ１０）を示すフローチャートである。禁則判定部１４４は、電子付箋が処理に対応付けられたことをトリガとして、このフローを実行してもよいし、電子付箋に対応付けられた処理が実行されようとしたことをトリガとして、このフローを実行してもよい。
【００２９】
ステップ１００（Ｓ１００）において、禁則判定部１４４は、図１の電子付箋貼付部１４２によって貼付された電子付箋に対応付けられた処理が、図１の禁則定義記憶部１４６に予め記憶された禁則定義のいずれかと一致するか否かを判定することにより、互いに禁則を含むか否かを判定する。互いに禁則を含むことが判定された場合には、ステップ１０２の処理に進み、そうでない場合には、処理を終了する。これにより、処理が互いに禁則を含む電子付箋の組合せが特定される。
ステップ１０２（Ｓ１０２）において、禁則判定部１４４は、処理に含まれる禁則情報を、禁則情報記憶部１６に記憶する。処理に含まれる禁則情報は、例えば、図３に示すように、電子付箋を識別するための識別子（電子付箋の識別子）１６０、電子付箋が貼付された頁を識別するための識別子（頁の識別子）１６２、電子付箋が頁に占める領域（電子付箋の領域）１６４、禁則を識別するための識別子（禁則の識別子）１６６及び他の電子付箋の識別子１６８が対応付けられて記憶される。
電子付箋の識別子１６０は、例えば、電子付箋が作成されたときに自動的に割り当てられ、頁の識別子１６２は、例えば、頁番号である。
また、電子付箋の領域１６４は、電子付箋が矩形である場合の座標として示され、禁則の識別子１６６は、禁則定義記憶部１４６において、親要素の制限を示す子要素の識別子として予め記述されたものである。
なお、他の電子付箋とは、処理が互いに禁則を含む電子付箋の組合せから、同列の電子付箋を除いたものである。
【００３０】
[表示制御処理]
図４は、図１の表示制御部１４８の動作フロー（Ｓ２０）を示すフローチャートである。
表示制御部１４８は、図２に示した禁則判定処理がなされ、処理が互いに禁則を含む電子付箋の組合せが特定されたことをトリガとして、このフローを実行する。
【００３１】
ステップ２００（Ｓ２００）において、表示制御部１４８は、図２の禁則判定処理によって特定された全ての電子付箋が、同じ頁にあるか否かを判定する。同じ頁にあることが判定された場合には、ステップ２０２の処理に進み、そうでない場合には、ステップ２０４の処理に進む。
ステップ２０２（Ｓ２０２）において、表示制御部１４８は、単一画面表示を選択し、ステップ２１０の処理に進む。
【００３２】
ステップ２０４（Ｓ２０４）において、表示制御部１４８は、禁則判定処理によって特定された全ての電子付箋の数が、分割可能な最大画面数以下であるかどうかを判定する。電子付箋の数が最大画面数以下である場合には、ステップ２０６に進み、そうでない場合には、ステップ２０８の処理に進む。
ステップ２０６（Ｓ２０６）において、表示制御部１４８は、分割画面表示を選択し、ステップ２１０の処理に進む。
【００３３】
ステップ２０８（Ｓ２０８）において、表示制御部１４８は、サムネイル表示を選択し、ステップ２１２の処理に進む。
ステップ２１０（Ｓ２１０）において、表示制御部１４８は、図１の禁則情報記憶部１６を参照して、禁則判定処理によって特定された電子付箋が、使用者にとって見やすい形式で表示されるよう（例えば、一部が欠けて表示されることのないよう）、電子付箋の表示倍率及び表示位置を調整する。
【００３４】
ステップ２１２（Ｓ２１２）において、表示制御部１４８は、禁則判定処理によって特定された電子付箋の組合せが明確になるよう、電子付箋の表示色を調整する。具体的には、禁則判定処理によって特定された電子付箋の組合せが２つある場合、一方の組合せの電子付箋は赤で表示し、もう一方の組合せの電子付箋は青で表示するなどして、異なる組合せの電子付箋が異なる色で表示されるようにする。
なお、電子付箋の表示色を調整するものとして説明したが、一方の組合せの電子付箋が点滅表示され、もう一方の組合せの電子付箋が通常表示されるように（つまり、点滅表示されないように）してもよく、電子付箋の表示色の調整に限らない。
【００３５】
図５は、図４の表示制御処理において、単一画面表示が選択され、電子付箋が調整された場合、ディスプレイ等に表示される画面の例である。
図５に示すように、タイトルバー１００、最小化ボタン１０２、最大化ボタン１０４、閉じるボタン１０６、スクロールボタン１０８、スクロールバー１１０及び表示部１１２が表示される。さらに、表示部１１２には、電子文書１１４、電子付箋１１６及びメッセージボックス１１８が表示される（以下、図６〜１１についても同様）。
以下、図５〜１１において、電子付箋１（１１６−１）及び電子付箋２（１１６−２）の処理が互いに禁則を含み、電子付箋３（１１６−３）及び電子付箋４（１１６−４）の処理が互いに禁則を含むものとする。
【００３６】
表示部１１２には、同じ頁にある全ての電子付箋（１１６−１〜１１６−４）が表示される（単一画面表示）。
図５に示すように、処理が互いに禁則を含む電子付箋の組合せ（１１６−１及び１１６−２）は、他の組合せ（１１６−３及び１１６−４）とは、異なる模様で表示されている。
さらに、メッセージボックス１１８には、電子付箋の処理が禁則を含むことが記載される。メッセージボックス１１８は、全ての電子付箋（１１６−１〜１１６−４）と線１２０で結ばれる。
【００３７】
図６は、図４の表示制御処理において、単一画面表示が選択され、電子付箋が調整された場合、ディスプレイ等に表示される画面の例である。
図６に示すように、処理が互いに禁則を含む電子付箋の組合せ（１１６−１及び１１６−２）に対応してメッセージボックス１１８−１が表示され、他の組合せ（１１６−３及び１１６−４）に対応してメッセージボックス１１８−２が表示されている。
さらに、電子付箋の組合せ（１１６−１及び１１６−２）は、メッセージボックス１１８−１と線１２０−１で結ばれ、他の組合せ（１１６−３及び１１６−４）は、メッセージボックス１１８−２と線１２０−２で結ばれる。
【００３８】
図７は、図４の表示制御処理において、単一画面表示が選択され、電子付箋が調整された場合、ディスプレイ等に表示される画面の例である。
図７に示すように、処理が互いに禁則を含む電子付箋の組合せ（１１６−１及び１１６−２）は、両矢印１２２−１で直接結ばれ、他の組合せ（１１６−３及び１１６−４）は、両矢印１２２−２で直接結ばれている。
【００３９】
図８は、図４の表示制御処理において、単一画面表示が選択され、電子付箋が調整された場合、ディスプレイ等に表示される画面の例である。
図８に示すように、メッセージボックス１１８は、「無視」ボタン１２４及び「解消」ボタン１２６を有する。「無視」ボタン１２４が押下された場合には、電子付箋が貼付された位置の順（ここでは、電子付箋１１６−１、１１６−２、１１６−３、１１６−４の順）に処理が進められ、「解消」ボタン１２６が押下された場合には、禁則を解消するための方法が別ウインドウにより表示される。
【００４０】
図９は、図４の表示制御処理において、単一画面表示が選択され、電子付箋が調整された場合、ディスプレイ等に表示される画面の例である。
図９Ａに示すように、メッセージボックス１１８は、「無視」ボタン１２４及び「解消」ボタン１２６に加えて、「リスト表示」ボタン１２８を有する。
「リスト表示」ボタン１２８が押下された場合には、図９Ｂに示すリスト１３０が表示される。
図９Ｂに示すように、リスト表示１３０は、表示チェックボックス１３２、付箋名表示部１３４及び禁則数表示部１３６を有する。
表示チェックボックス１３２は、同列の付箋名表示部１３４に記載された電子付箋及びこの電子付箋と互いに処理が禁則を含む電子付箋を表示するか否かを選択するのに用いられる。
付箋名表示部１３４は、処理が禁則を含む電子付箋を表示する。
禁則数表示部１３６は、同列の付箋名表示部１３４に記載された電子付箋の処理に含まれる禁則の数を表示する。
例えば、「付箋１」の表示チェックボックス１３２がオンになった場合には、図９Ｃに示すように、電子付箋１（１１６−１）及び電子付箋２（１１６−２）のみが表示される。
【００４１】
図１０は、図４の表示制御処理において、分割画面表示が選択され、電子付箋が調整された場合、ディスプレイ等に表示される画面の例である。
図１０に示すように、分割線１３８によって分割された表示部１１２−１及び１１２−２が表示されており、異なる頁にある電子付箋（１１６−１及び１１６−２）が別々に表示されている（分割画面表示）。ここでは、表示部１１２−１において、頁番号１の頁にある電子付箋１１６−１が表示され、表示部１１２−２において、頁番号２の頁にある電子付箋１１６−２が表示されている。
なお、図示しないが、単一画面表示が選択された場合と同様の調整（図６〜９を参照して説明した調整）がなされてもかまわない。
【００４２】
図１１は、図４の表示制御処理において、サムネイル表示が選択され、電子付箋が調整された場合、ディスプレイ等に表示される画面の例である。
図１１に示すように、異なる頁にある電子付箋（１１６−１〜１１６−４）は、縮小された状態で表示部１１２に表示されている（サムネイル表示）。
なお、図示しないが、単一画面表示が選択された場合と同様の調整（図６〜９を参照して説明した調整）がなされてもかまわない。
【符号の説明】
【００４３】
１      電子文書処理装置
１０    ＵＩ
１２    ＯＳ
１４    アプリケーション
１４０  電子文書作成部
１４２  電子付箋貼付部
１４４  禁則判定部
１４６  禁則定義記憶部
１６    禁則情報記憶部
１４８  表示制御部
【図１】
2011048451.tif 000003
【図２】
2011048451.tif 000004
【図３】
2011048451.tif 000005
【図４】
2011048451.tif 000006
【図５】
2011048451.tif 000007
【図６】
2011048451.tif 000008
【図７】
2011048451.tif 000009
【図８】
2011048451.tif 000010
【図９Ａ】
2011048451.tif 000011
【図９Ｂ】
2011048451.tif 000012
【図９Ｃ】
2011048451.tif 000013
【図１０】
2011048451.tif 000014
【図１１】
2011048451.tif 000015